(57)【要約】      （修正有）【課題】複数の樹脂版を積層して収納した場合の底部の撓みを抑え、樹脂版を平らに保ちつつ保管し、あるいは輸送することを可能とする樹脂版用収納ケースを提供する。【解決手段】蓋材、床材２、額縁材３からなる樹脂版用収納ケースであって、床材２がハニカム構造である。額縁材３が段ボール板の積層体であってもよいし、あるいは、角紙管であってもよい。額縁材３は、床材２に対し、該床材２の外周側へ転回可能に取り付けられていることが好ましい。この場合、額縁材３は、折り曲げ可能な段ボールシート４によって床材２に取り付けられていてもよい。【選択図】図７
0003203230.tif 000002
【実用新案登録請求の範囲】
【請求項１】
蓋材、床材、額縁材からなる樹脂版用収納ケースであって、前記床材がハニカム構造であることを特徴とする樹脂版用収納ケース。
【請求項２】
前記額縁材が段ボール板の積層体であることを特徴とする請求項１に記載の樹脂版用収納ケース。
【請求項３】
前記額縁材が角紙管であることを特徴とする請求項１に記載の樹脂版用収納ケース。
【請求項４】
前記額縁材は、前記床材に対し、該床材の外周側へ転回可能に取り付けられていることを特徴とする請求項１に記載の樹脂版用収納ケース。
【請求項５】
前記額縁材は、折り曲げ可能な段ボールシートによって前記床材に取り付けられていることを特徴とする請求項４に記載の樹脂版用収納ケース。
【請求項６】
前記額縁材の内側面に、樹脂付着防止処理が施されていることを特徴とする、請求項５に記載の樹脂版用収納ケース。
【請求項７】
前記額縁材の内側面にクラフトテープが貼付されていることを特徴とする、請求項６に記載の樹脂版用収納ケース。
【請求項８】
前記額縁材の内側面にクッション材が貼付されていることを特徴とする、請求項６に記載の樹脂版用収納ケース。
【請求項９】
収納する樹脂版がフレキソ印刷用感光性樹脂版である、請求項１から８のいずれか一項に記載の樹脂版用収納ケース。
【考案の詳細な説明】
【技術分野】
【０００１】
本考案は、樹脂版用収納ケースに関する。
【背景技術】
【０００２】
フレキソ印刷用の感光性樹脂版をはじめとする各種樹脂版を収納するためのケースが利用されている。このような収納ケースは、収納した樹脂版を保管し、あるいは輸送する手段として好適である（例えば、特許文献１参照）。
【先行技術文献】
【特許文献】
【０００３】
【特許文献１】特開平１１−１３００６７号公報
【考案の概要】
【考案が解決しようとする課題】
【０００４】
しかしながら、樹脂版用収納ケースに複数の樹脂版を積層して収納すると、重量の影響で底部が撓み、樹脂版を平らに保つことが困難になる場合がある。
【０００５】
本考案は、複数の樹脂版を積層して収納した場合の底部の撓みを抑え、樹脂版を平らに保ちつつ保管し、あるいは輸送することを可能とする樹脂版用収納ケースを提供することを目的とする。
【課題を解決するための手段】
【０００６】
かかる課題を解決するべく、本考案は、蓋材、床材、額縁材からなる樹脂版用収納ケースであって、前記床材がハニカム構造であることを特徴とするものである。
【０００７】
耐圧性能に優れるハニカム構造の床材は、樹脂版用収納ケースに複数の樹脂版を積層して重量が嵩んでも撓みを極力抑え、樹脂版を平らに保ちつつ保管し、あるいは輸送することを可能とする。
【０００８】
また、この樹脂版用収納ケースにおける前記額縁材が段ボール板の積層体であってもよい。
【０００９】
あるいは、樹脂版用収納ケースにおける前記額縁材が角紙管であってもよい。
【００１０】
前記額縁材は、前記床材に対し、該床材の外周側へ転回可能に取り付けられていることが好ましい。
【００１１】
この場合の樹脂版用収納ケースにおいて、前記額縁材は、折り曲げ可能な段ボールシートによって前記床材に取り付けられていてもよい。
【００１２】
また、前記額縁材の内側面に、樹脂付着防止処理が施されていることが好ましい。
【００１３】
また、前記額縁材の内側面にクラフトテープが貼付されていることも好ましい。
【００１４】
あるいは、前記額縁材の内側面にクッション材が貼付されていることも好ましい。
【００１５】
収納する樹脂版がフレキソ印刷用感光性樹脂版であってもよい。
【考案の効果】
【００１６】
本考案によれば、複数の樹脂版を積層して収納した場合の底部の撓みを抑え、樹脂版を平らに保ちつつ保管し、あるいは輸送することが可能となる。
【図面の簡単な説明】
【００１７】
【図１】本考案の一実施形態を示す樹脂版用収納ケースの全体斜視図である。
【図２】床材から蓋材を外した状態の樹脂版用収納ケースの全体斜視図である。
【図３】角紙管で構成された額縁材の一例を示す斜視図である。
【図４】段ボールシートを重ね合わせてブロック状にした積層体で構成された額縁材の一例を示す斜視図である。
【図５】段ボールシートに対する額縁材の取付の一例を説明する斜視図である。
【図６】（Ａ）額縁材が段ボールシートに３点接着により仮止めされている様子を表す斜視図、（Ｂ）仮止めが解除されて額縁材が外側に転回した様子を表す斜視図である。
【図７】額縁材が外側に転回した状態の樹脂版用収納ケース（蓋材を除く）の全体斜視図である。
【図８】図７のVIII-VIII線における床材、額縁材などの断面形状を示す図である。
【図９】Ｖ字状の切り込みが設けられた厚めの段ボールシートとその周辺部分の形態例を示す図である。
【考案を実施するための形態】
【００１８】
以下、図面を参照しつつ本考案の好適な実施形態について詳細に説明する（図１等参照）。図１等においては、本考案を、フレキソ印刷用感光性樹脂版２０を収納するケースに適用した例を示しつつ説明する。なお、フレキソ印刷用感光性樹脂版は好適な一例にすぎず、この他、凸版印刷用のゴム板、アクリル板など平滑な樹脂板や、フィルムなどを収納するケースに本考案を適用することもできる。
【００１９】
樹脂版用収納ケース１０は、蓋材１、床材２、額縁材３を含む構成となっている。
【００２０】
蓋材１は、床材２および額縁材３の上面に覆い被せられる被せ蓋であり、これら床材２および額縁材３と箱を形成する。本実施形態の蓋材１は、矩形の天面部１Ａと、該天面部１Ａの四辺で下向きに折り曲げられた４つの側面部１Ｂとからなる段ボールシートによって形成されている（図１、図２参照）。床材２および額縁材３に覆い被せられた蓋材１は、樹脂版用収納ケース１０に収納されたフレキソ印刷用感光性樹脂版２０に光が照射されるのを防ぎ、樹脂版用収納ケース１０に塵埃が入り込むのを抑止し、また、樹脂版用収納ケース１０以外の箇所に接触する等によりフレキソ印刷用感光性樹脂版２０に傷が付くのを防止する。
【００２１】
床材２は、樹脂版用収納ケース１０の床部分（底面部）を形成する部材である、本実施形態の床材２は、鉛直方向に孔が延びるハニカム構造の段ボールシートによって矩形に形成されており、耐圧性能に優れる（図２参照）。このため、樹脂版用収納ケース１０に複数のフレキソ印刷用感光性樹脂版２０を積層して重量が嵩んだ場合にも、当該床材２の撓み、特に中央部付近における撓みが極力抑えられる。なお、必要に応じて、床材２の上面に、平坦面を有する床板材２ａを設けてもよい（図８参照）。
【００２２】
額縁材３は、床材２の四辺に取り付けられて側壁を形成する。本実施形態では、床材２の長辺に取り付けられる一対の長額縁材３（３Ｌ）と、床材２の短辺に取り付けられる一対の短額縁材３（３Ｓ）とを採用している（図２参照）。長額縁材３（３Ｌ）の長さは、床材２の長辺の長さに略等しい。短額部材３（３Ｓ）の長さは、床材２の短辺の長さに比して、長額縁材３（３Ｌ）の幅２本分、短い（図２参照）。
【００２３】
額縁材３は、相当程度の強度を備えた部材で構成されていることが好適である（図４参照）。このような額縁材３は、例えば複数の樹脂版用収納ケース１０が積み上げられた場合に、当該樹脂版用収納ケース（とくに、下方の樹脂版用収納ケース）１０が潰れないように支え、内部に収納されたフレキソ印刷用感光性樹脂版２０に上から圧力が作用するのを抑止する。
【００２４】
このように相当程度の強度を備えた部材の好適例としては、段ボールシートを２枚以上重ね合わせてブロック状にした積層体（厚みは例えば１０ｍｍ〜１００ｍｍ程度）を真横にした部材がある（図４参照）。あるいは、額縁材３を構成する部材として、角紙管も好適である。角紙管は、コートボール紙（厚みは例えば２ｍｍ〜５ｍｍ程度）などで断面矩形に形成された紙筒であり、軽量であり、かつ、軽量である割に高い強度を備える（図３参照）。本実施形態では角紙管からなる額縁材３を採用している（図７等参照）。
【００２５】
また、額縁材３は、床材２に対し、該床材２の外周側へ転回可能に取り付けられている。これによれば、床材２の側部（側壁）を構成する額縁材３が開閉する機構（サイドオープン機構）が構成されて、収納されているフレキソ印刷用感光性樹脂版２０を側部から水平方向に取り出すことが可能となる（図７参照）。
【００２６】
額縁材３を開閉する機構（サイドオープン機構）の具体的構成は種々あり特に限定されはしないが、好適な一例として、本実施形態では、折り曲げ可能な段ボールシート（額縁材３を展開可能に支持する部材）４を用いて額縁材３を床材２に転回可能に取り付けている（図５〜図８参照）。段ボールシート４は額縁材３とほぼ等しい長さであり、長手方向に延びる折り曲げ線４Ｌに沿って折り曲げ可能であって、通常時（側部が閉じているとき）はＬ字形となるよう配置されている（図５、図８等参照）。
【００２７】
Ｌ字形とされた段ボールシート４に対し、額縁材３は、外周側を向く外周面３Ａが段ボールシート４の固定取付面４Ａに全面的に接着されることによって取り付けられている（図８等参照）。さらに、額縁材３の底面３Ｂが、段ボールシート４の軟接着面４Ｂに軟接着されている（図５、図６等参照）。軟接着は、例えば３点の軟接着箇所４ｂによる３点接着などにより、必要時には額縁材３の底面３Ｂが段ボールシート４の軟接着面４Ｂから簡単に剥がすことができる程度の接着力で、額縁材３の底面３Ｂを段ボールシート４の軟接着面４Ｂに仮止めしておく（図６参照）。なお、段ボールシート４は、床材２に対し、底面（軟接着面４Ｂの裏面）４Ｃが接着されることによって取り付けられている（図８等参照）。
【００２８】
上述のごとく額縁材３を外側に転回させて樹脂版用収納ケース１０の側部（側壁）を開閉可能とした機構（サイドオープン機構）によれば、収納されているフレキソ印刷用感光性樹脂版２０を樹脂版用収納ケース１０の側部から取り出すことができる。
【００２９】
なお、上述した機構（サイドオープン機構）は、４辺の額縁材３のいずれを転回可能にして設けてもよいが、フレキソ印刷用感光性樹脂版２０の取り出しやすさの観点からすると長額縁材３（３Ｌ）に設けることが好適である。この場合、対向する一対の長額縁材３（３Ｌ）の両方を転回可能としてもよいし、一方のみを転回可能としてもよい（図７、図８参照）。
【００３０】
額縁材３の内側面３Ｃには、樹脂付着防止処理が施されており、これによって、収納されたフレキソ印刷用感光性樹脂版２０が額縁材３に付着し難くなっている。このため、樹脂付着に起因してフレキソ印刷用感光性樹脂版２０に傷や剥がれが生じるのが抑止される。樹脂付着防止処理の一例としては、額縁材３の内側面３Ｃにクラフトテープ（クラフト紙をベースにした粘着テープ）８を当該内側面３Ｃに貼付すること等がある。この他、表面に粘着性を有しない他の粘着テープを貼付すること、塗膜して粘着性を発揮しない表層を形成すること、等も樹脂付着防止処理の一例たり得る。なお、内側面３Ｃとは、通常時（側部が閉じているとき）に樹脂版用収納ケース１０の内側を向いている、外周面３Ａとは逆側に位置する面のことである（図８等参照）。
【００３１】
また、上述した樹脂付着防止処理に代え、あるいは樹脂付着防止処理とともに、額縁材３の内側面３Ｃにクッション性を備えさせる処理が施されていてもよい。内側面３Ｃにクッション性を備えた額縁材３は、収納されたフレキソ印刷用感光性樹脂版２０の縁に作用する衝撃を吸収して保護する。また、発泡材（発泡ポリエチレンなど）を後付けする等によりクッション材９を形成した場合には、収納されたフレキソ印刷用感光性樹脂版２０との間の隙間（遊び）を少なくして、輸送時の揺れ（ケース内での余計な動き）を抑えることができる（図８参照）。また、フレキソ印刷用感光性樹脂版２０を樹脂版用収納ケース１０に重ねて収納する作業において、角及び端部がずれると変形などの原因となり得るので精度を上げる必要があるところ、本実施形態に係る樹脂版用収納ケース１０によれば、上下シートの角合わせがしやすく、ずれを少なくすることができることから、作業性が向上する。
【００３２】
本実施形態に係る樹脂版用収納ケース１０によれば、複数のフレキソ印刷用感光性樹脂版２０を積層して収納した場合の底部つまり床材２の撓みを抑え、フレキソ印刷用感光性樹脂版２０を平らに保ちつつ保管し、あるいは輸送することが可能となる。
【００３３】
なお、上述の実施形態は本考案の好適な実施の一例ではあるがこれに限定されるものではなく本考案の要旨を逸脱しない範囲において種々変形実施可能である。例えば、上述した実施形態において採用した段ボールシートは樹脂版用収納ケース１０を構成する代表的な素材だが、これ以外の紙材、あるいは紙材以外の素材を用いることが妨げられることはない。
【００３４】
また、本実施形態では、折り曲げ線４Ｌで折り曲げ可能な、通常時に断面Ｌ字形の段ボールシート４を用いて額縁材３を転回可能に床材２に取り付けた形態を例示したが、これは好適例にすぎない。例えば、厚めの段ボールシート４を用いるならば、Ｖ字状の切り込み４Ｖを設けておき、該切り込み４Ｖで折り曲げ可能としてもよい（図９参照）また、厚めの段ボールシート４を用いるほか、厚めの床板材２ａの外周部分にＶ字状の切り込みを設けて折り曲げ可能とし、当該部分で額縁材３を転回可能に支持してもよい。例えば、段ボールシート４（あるいは床板材２ａ）がシート１〜２層程度の厚さならばプレス加工した折り曲げ線４Ｌを利用し、シートが３層以上程度の厚さならばＶ字状の切り込み４Ｖを利用して折り曲げ可能とする、といった使い分けをすることができる。
【産業上の利用可能性】
【００３５】
本考案は、フレキソ印刷用の感光性樹脂版をはじめとする各種樹脂版を収納するためのケースに適用して好適である。
【符号の説明】
【００３６】
１…蓋材
２…床材
３…額縁材
３Ｃ…額縁材の内側面
４…段ボールシート
８…クラフトテープ
９…クッション材
１０…樹脂版用収納ケース
２０…フレキソ印刷用感光性樹脂版（樹脂版）
【図１】
0003203230.tif 000003
【図２】
0003203230.tif 000004
【図３】
0003203230.tif 000005
【図４】
0003203230.tif 000006
【図５】
0003203230.tif 000007
【図６】
0003203230.tif 000008
【図７】
0003203230.tif 000009
【図８】
0003203230.tif 000010
【図９】
0003203230.tif 000011